(57)【特許請求の範囲】
【請求項１】
支柱に継手を介して柵体の端部が支持されてなる防護柵の柵体取付構造において、継手は固定部と接続部とからなり、固定部は支柱に止着されるとともに、固定部より接続部が柵体の接続方向に突設されて、柵体のビームには少なくともその端部を長手方向に切欠いた隙間部が形成され、この隙間部に前記継手の接続部が嵌入されて柵体の端部が支柱に支持されるようになされ、且つ、継手の接続部の先端に上方に向けて係止片が形成されると共に、前記係止片に抜止孔が横穿され、この抜止孔に固定具を貫通してビームを水平又は傾斜して接続する際に、ビーム端部にキャップが嵌挿される場合はそのキャップの内径上部に前記係止片が当接され、ビーム端部にキャップが嵌挿されない場合はそのビーム端部の内径上部に前記係止片が当接されて、ビームの端部が係止片に支持されるようになされたことを特徴とする防護柵の柵体取付構造。
【請求項２】
継手の固定部が円形支柱の側面に沿った板状体として形成されるとともに、継手の接続部が円形支柱を中心とする放射状の延長線の方向に突設されたことを特徴とする請求項１記載の防護柵の柵体取付構造。
【請求項３】
継手の固定部に止着具を介して支柱に止着するための止め孔が開穿されるとともに、止め孔は支柱断面周方向に細長にまたは断続的な複数孔として形成され、固定部を止着する際に継手が支柱の断面外周の側面に沿って回動可能となされたことを特徴とする請求項２記載の防護柵の柵体取付構造。
【請求項４】
複数の継手の組み合わせによって、各接続部の成す角度が可変に調節可能となされたことを特徴とする請求項３記載の防護柵の柵体取付構造。
【発明の詳細な説明】
【０００１】
【発明の属する技術分野】
本発明は歩車道の境界や敷地境界線上等、あるいは公園や遊歩道、自転車道等に沿って設置される防護柵に関し、特に勾配のある設置場所に好適に用いられる防護柵の柵体の取付構造に関するものである。
【０００２】
【従来の技術】
歩車道の境界、敷地境界線上や公園等に設置される防護柵設置工法のなかで、設置される境界線等に沿って適宜間隔に立てられた複数本数の支柱間に、パネルユニットとして準備されたフェンスパネルを、支柱に固定された金具等を介して簡便に架設する方法として、特開平９−１５８５４７号公報において支柱に溶接固定した係止段部を有するビーム取付金具に対し、ビーム端部に設けられた切欠部を嵌入・載置して該ビーム端部の切欠部内部に溶接固定されたストッパに係止させてフェンスパネルを組み立てる構造が開示されている。
【０００３】
しかしながら上記特開平９−１５８５４７号公報に提案される構造においては、支柱に対してビーム取付金具が予め溶接固定されていて、かつビーム取付金具とビーム端部の切欠部の嵌合方法に寸法的余裕が設けられない方法であるために、柵の水平方向のレイアウト上屈曲した配置に対して全く対応出来ず、設置施工にあたっても取り付けされるビームの配置方向に対して微調整ができないために正確な支柱の建柱がなされていなければならず、また設置場所の傾斜に対してもビーム取付金具とビーム端部に設けられた切欠部内部のストッパとの係止が可能な範囲の、緩斜面への設置にとどまっているなどの問題がある。
【０００４】
しかも上記提案による方法は、上述の如く支柱へのビーム取付金具の取り付けとビームの端部に設けられた切欠部のストッパは溶接加工でなされねばならず、製造工程上加工コストのかかるものである。
【０００５】
【発明が解決しようとする課題】
かかる従来工法の欠点を解消するために本発明防護柵の柵体取付構造は、柵を設置する際に緩斜面に限らず通常考えうるあらゆる傾斜地への設置ができ、かつ水平面方向の微調整ができ、必要に応じて水平面方向の配置上の屈曲に対しても自在に対応し、また設置施工法が簡便で、そのうえ部品製造の加工工程が単純で安い加工コストで生産可能な防護柵の柵体取付構造を可能にするものである。
【０００６】
【課題を解決するための手段】
上記の課題を解決するために、本発明防護柵の柵体取付構造は次のように構成される。すなわち、支柱に継手を介して柵体の端部が支持されてなる防護柵の柵体取付構造において、継手は固定部と接続部とからなり、固定部は支柱に止着されるとともに、固定部より接続部が柵体の接続方向に突設されて、柵体のビームには少なくともその端部を長手方向に切欠いた隙間部が形成され、この隙間部に前記継手の接続部が嵌入されて柵体の端部が支柱に支持されるようになされ、且つ、継手の接続部の先端に上方に向けて係止片が形成されると共に、前記係止片に抜止孔が横穿され、この抜止孔に固定具を貫通してビームを水平又は傾斜して接続する際に、ビーム端部にキャップが嵌挿される場合はそのキャップの内径上部に前記係止片が当接され、ビーム端部にキャップが嵌挿されない場合はそのビーム端部の内径上部に前記係止片が当接されて、ビームの端部が係止片に支持されるようになされたことを特徴とするものであり、従って、隙間部の幅寸法が前記継手の接続部の厚さ寸法より稍々大なる寸法となされることにより、接続部の寸法誤差が僅かなことから柵体が設置された後においてほとんどグラつくことがない状態で支柱に取り付けられるものである。
【０００７】
なお、ここにおいて柵体とは、防護柵の支柱が適宜間隔で立設されてこれらの支柱間にまたはこれらの支柱の側面に沿って架設されるビーム、あるいは上下のビームとそれら上下のビーム間に亘って取着された多数の縦棧とで構成される柵パネル、あるいは鋼材等を用いた線材によって縦横状等の格子状に構成された柵パネル、その他多数の孔が開穿された有孔パネル、木製パネル、無機材料による防護柵の支柱間に架設される面材等を総称したものである。
【０００８】
また本発明防護柵の柵体取付構造は、継手の接続部の先端に上方に向けて係止片が形成されたものであり、防護柵が傾斜地に設置された際にはこの係止片に柵体の端部が係止されて、支柱に対して柵体を安定して取り付けることができる。
【０００９】
そしてさらにまた本発明防護柵の柵体取付構造は、継手の接続部の係止片に抜止孔が横穿されるとともに、この抜止孔を貫通する固定具を介して柵体の端部が固定されるようになされたものであり、固定具によって支柱に止着された継手の接続部と柵体の端部との接続が確実になされる。
【００１０】
また本発明防護柵の柵体取付構造は、継手の固定部が円形支柱の側面に沿った板状体として形成されたもので支柱に対して継手がグラつくことなく取り付けられ、また継手の接続部が円形支柱を中心とする放射状の延長線の方向に突設されることによって柵体を支柱に接続した際柵体が相となり合う支柱間の芯−芯間に配置され、配置される防護柵の設置厚さ寸法がほぼ支柱の外径寸法内に収まって設置による占有スペースが必要最小限となって好ましい。
【００１１】
また本発明防護柵の柵体取付構造は、継手の固定部に止着具を介して支柱に止着するために開穿された止め孔が、支柱断面周方向に細長または断続的な複数孔として形成されることによって、固定部を止着する際に継手が支柱の断面外周の側面に沿って回動可能に可動継手となされたもので、継手が支柱の断面外周の側面に沿って回動することによって、円形支柱の中心に対する継手の接続部の突設方向が可変となって、支柱に対して柵体の取り付け時の微調節ができて現場における正確な柵体の配置がなされる。
【００１２】
そしてさらに本発明防護柵の柵体取付構造は、支柱に対して上述の可動継手を含んで複数の継手が組み合わせられて止着されることによって、該支柱から突設された各接続部の成す突設角度が可変に調節可能となされ、それら複数の継手に接続される各柵体の接続角度の調節が行われて防護柵がレイアウトに沿って設置される。
【００１３】
【発明の実施の形態】
以下、本発明の実施の形態について、図面に基づいて説明する。
図１は、本発明防護柵の柵体取付構造を適用した実施の一形態を表す防護柵の正面図であり、図２は図１に示す実施形態例の部分を表す分解斜視図である。
【００１４】
図１の実施の一形態例において柵体（柵パネル）４は、適宜間隔で立設された複数の支柱１，１・・・の間に連続して接続され、平面地および傾斜地に防護柵が設置された状態を表している。ここにおいて柵体（柵パネル）４は、平面地および傾斜地ともに支柱１，１の間に架設された上下のビーム２の間に亘って多数の縦棧２２が取着されて柵体（柵パネル）４となされたものである。
【００１５】
図２は、図１に示す柵体（柵パネル）４の端部が継手３を介して支柱１に接続される状態を表しており、継手３の固定部３１が支柱１に止着されるとともに、固定部３１より接続部３２が柵体の接続方向に突設されており、この接続部３２が柵体（柵パネル）４を構成するビーム２の端部を長手方向に切欠いて形成された隙間部２０に嵌入されて柵体（柵パネル）４の端部が支柱１に支持される様子を示すものである。
【００１６】
かくして接続・組み立てされて図１に表す様に傾斜地〜平面地〜傾斜地に設置された防護柵を詳細に示した正面図が図３であり、図４は図３の実施形態例の、（イ），（ロ）は部分を表す分解斜視図で、（ハ）は図３のＡ−Ａ部の断面図、（ニ）は図３のＢ−Ｂ部の断面図である。また図５は、本発明防護柵の柵体取付構造の実施形態例における支柱と継手および柵体の端部の接続部分の要部を表す、（イ）は上断面図、（ロ）は正面図であり、（ハ）は（ロ）に示すＡ−Ａ部の側面断面図である。
【００１７】
図３において柵体（柵パネル）４は、上下のビーム２，２´の間に亘って多数の縦棧２２・・が取着されたものであり、図４（イ）に示す如くそのビーム２の端部に挿嵌されるキャップ２６を伴ってビーム２の端部の長手方向に形成された隙間部２０に対して、継手３の接続部３２が嵌入されて、柵体の端部が支柱１に支持されるようになされるものである。
【００１８】
前記隙間部２０は、継手３の接続部３２が嵌入されるに必要な長さ分だけ柵体の端部に形成されていれば十分であるが、図４の実施形態の例の場合においては柵体（柵パネル）４は図４（ハ）に示す如く、隙間部２０が上ビーム２の下方にならびに下ビーム２´の上方に向けてそれぞれその長手方向の全長に亘って形成されて、縦棧２２の上下両端部が略平坦となるように圧潰されて形成された平坦部２３がこの隙間部２０に挿入され取り付けられるようになされていてもよい。ここにおいて縦棧２２の上下両端の平坦部２３は図４（ロ）に示す如く上下ともに回動軸２４を介して軸フレーム２１に軸着されており、多数の縦棧２２と上下の軸フレーム２１，２１はそれぞれが各々平行を維持しながら様々な角度の平行四辺形をなして連続的に変形しうるようになされた枠体として構成されており、この枠体の上下軸フレーム２１，２１各々を上下の両ビーム２，２´に挿入してなる柵体（柵パネル）４が用いられた防護柵は、同様の柵体（柵パネル）４を用いながら平面地〜傾斜地に自在に対応して設置されるようになされている。
【００１９】
また柵体（柵パネル）４は、図４（ニ）に示す如く継手４の接続部３２に形成された係止片３３が前述のビーム２の隙間部２０に嵌入されて柵体の端部が支持されたうえ、継手３の係止片３３に横穿された抜止孔３４に固定具３５を介して柵体（柵パネル）４端部のビーム２端部が固定されるようになされる。
【００２０】
さらにここで、支柱１への継手４の止着、およびビーム２の端部と継手４との接続について、図５（イ），（ロ），（ハ）によって詳述する。
【００２１】
図５（イ），（ハ）にはビーム２の端部にキャップ２６が挿嵌され、ビーム２の端部に開穿された挿通孔２５と位置合わせされてキャップ２６にも挿通孔２７が設けられ、これら各挿通孔２５，２７と継手４の係止片３３に横穿された抜止孔３４が固定具３５を介して固定される様子を表している。
【００２２】
また図５（イ），（ロ）は、継手３の固定部３１が円形支柱１の側面に沿った板状体として形成されて止着具３７を介して支柱１に止着されるとともに、継手の接続部３２が円形の支柱１を中心とする放射状の延長線の方向に突設されてビーム２の端部と接続される様子を表している。さらに図５（ロ）には、継手３の接続部３２の先端に上方に向けて係止片３３が形成されることによって、支柱１に対してビーム２が傾斜して接続される際にビーム２端部の内径上部（または、その端部に挿嵌されるキャップ２６の内径上部）に前記係止片３３が当接され、ビーム２の端部が安定して支持される様子を表している。
【００２３】
なお、上述の方法によれば図５（ロ）に示す場合は、可能な最大傾斜角度は約Ｒｖ＝４５度であり、本発明の実施形態を適用した際には防護柵を緩斜面のみに限らず通常考えうるあらゆる傾斜地への設置が可能であることを表している。
【００２４】
また、上述の円形の支柱１の側面に沿った板状体として形成される継手３は、鋼製やステンレススチールの板材をプレス成形によって製作されるのが好適で、部品製造の加工工程が単純なため安価な加工コストで製作できて好都合である。
【００２５】
ここで、上述の図１〜５の実施形態例の、支柱に対して上下ビーム間に亘って取着された多数の縦棧で構成される柵パネルを架設してなる防護柵の設置手順について、図６（イ）〜（ニ）によって説明する。
すなわち、工程１：（イ）に示す如く、支柱１に継手３を止着具３７によって止着する。  工程２：（ロ）に示す如く、継手３の接続部３２の先端に上方に向けて形成された係止片３３に対し、柵体（柵パネル）４を構成する上部ビーム２の左右両側端部に形成された隙間部２０を嵌入して柵パネルを仮置き載置する。工程３：（ハ）に示す如く、固定具３５を用いてビーム２の両端において、柵体（柵パネル）４の仮止めを行い、ビーム２端部が継手３の係止片３３から脱落しないように備える。  工程４：（ニ）に示す如く、継手３の工程１〜３の上部用と上下が逆の継手３を用いて、その接続部３２の先端に下方に向けて形成された係止片３３を、柵体（柵パネル）４の端部を構成する下部のビーム２両端に形成された隙間部２０に図中に示した矢印の方向に嵌入を行い、固定具３５を用いて下部のビーム２´の左右両端部において、柵体（柵パネル）４の仮止めを行う。工程５：工程１〜４で仮止めした柵体（柵パネル）４の端部の各固定具３５を、柵パネルにひずみによる変形のないように留意しながら確実に固定する。
【００２６】
上述では、支柱１に対して上下のビーム２，２´間に亘って取着された多数の縦棧２２とで構成される柵パネル４を架設してなる防護柵の設置手順について、支柱１に対して継手３を、図６（ニ）においてはその接続部３２の先端に形成された係止片３３を上方および下方のそれぞれに向けて互いに逆向きに突設させた状態にて使用する場合について説明したが、必ずしもこれに限るものではなく、柵体（柵パネル）４を構成する上下ビーム２，２´の各隙間部２０のそれぞれの開口部の上下の向きに適応させて、継手３の接続部３２の先端部の係止片３３の突設方向の向きを、上下の継手共に上方または下方となされてもよい。
【００２７】
さらにまた上述では、上下のビーム間に亘って多数の縦棧が取着されて構成される柵パネルを、適宜間隔で立設された支柱間に架設されてなる防護柵の場合について説明してきたが、支柱が適宜間隔で立設されてこの各支柱間に架設されるビームだけで構成される（縦桟を用いない）防護柵の場合も、上述説明における支柱に止着される継手の接続部と柵パネルを構成するビーム端部との接続と同様にして支柱にビームが架設されればよい。
【００２８】
なお図５に示した実施形態例においては、継手の接続部３２が円形の支柱１を中心とする放射状の延長線の方向に突設されてビーム２の端部と接続されるとして説明したが、図６には板状の継手３はビーム２の接続がなされる際に実際には接続部３２が支柱１を中心とする放射状の延長線の方向より±Ｒｈ度の範囲内において微調節がなされて突設されうることを示しており、ここでＲｈは継手３の材質や寸法によってほぼ決まり、例えば厚さ５ミリの鋼製の継手を用いて接続部の根元付近の高さ寸法を３〜６センチ程度とした場合にはＲｈ＝約１０〜１５度となる。
【００２９】
次に図８に示す実施形態の例においては、継手３の固定部３１に止着具３７を介して支柱１に止着するための止め孔が、支柱の断面周方向に細長に開穿された細長孔５１となされて可動継手５となされ、可動継手５が支柱１の断面外周側面に沿って回動可能となされ、この可動継手５と継手の接続部３２の突設方向が逆となされた可動継手５´が重ねられて支柱１に止着される様子を示している。
【００３０】
そしてさらに図９には、支柱１の断面の中心を貫通する止着具３７を介して可動継手５，５がそれぞれ支柱１の反対側の側面に止着される様子を表している。ここにおいて、可動継手５，５は継手の各接続部３２の突設方向の微調節が可能であるとともに、それぞれの可動継手５，５の接続部３２，３２の各突設方向の成す角度が可変となって、支柱１に対してこれに接続される柵体（柵パネル）４や各ビームの成す接続角度を調節することができる。
【００３１】
なお、可動継手５に開穿される止め孔は図９（イ）に示す横長の細長孔５１、（ロ）に示す断続孔５２、（ハ）に示す連続孔５３等が用いられる。
【００３２】
そしてさらに図１０においては、支柱１に対して上述の可動継手を含んで複数の継手が組み合わせられて止着された場合に、各接続部が成す角度が可変に調節可能となされる実施形態の例を、柵体接続用継手の接続部が支柱１から２方向に突設される場合について、支柱１に継手３を止着するための止着孔１１を支柱１の断面の中心を貫通する中心線上に配設される貫通孔１種類にのみ限定した場合において組み合わせ展開したものであるが、前述した継手の接続部の突設角度の誤差Ｒｈ＝±１０度を考慮に入れれば７０度以下（つまり２９０度以上）の鋭角を除いて、少なくとも３種類の継手によって７０〜２９０度のあらゆる設置角度に対応して設置可能となることを示している。
【００３３】
すなわち、図１０（イ），（ロ）は通常のレイアウトに汎用的に使用される、継手直ａ；１８０度，継手直角ｂ；９０度（つまり２７０度）専用継手を示し、また（ハ），（ニ）については、可動継手ｃ，可動継手ｄの各々可動継手が組み合わせられて構成される継手の接続部の突設角度間隔を示しており、この図１０の実施形態の例における場合、（ハ）においてα＝１３０〜β＝１８０度に可変（つまり２３０〜１８０度）、（ニ）においてγ＝１２０〜η＝１６５度に可変（つまり２４０〜１９５度）の突設角度間隔となされた場合を示している。
【００３４】
なお、継手の組み合わせ展開は上述の実施形態例の場合に限るものではなく、支柱１に継手３を止着させるための止着孔１１の数や位置、或いは可動継手５の形態や細長孔５１の寸法等種々の設定によって、色々な継手の接続部の突設角度の設定が可能であり、例えば突設角度間隔が７０度以下の場合についても対応が可能となる等、様々な組み合わせ展開が可能である。
【００３５】
【発明の効果】
上述の如く、本発明防護柵の柵体取付構造は、支柱に継手を介して柵体の端部が支持されてなる防護柵の柵体取付構造において、継手は固定部と接続部とからなり、固定部は支柱に止着されるとともに、固定部より接続部が柵体の接続方向に突設されて、柵体のビームには少なくともその端部を長手方向に切欠いた隙間部が形成され、この隙間部に前記継手の接続部が嵌入されて柵体の端部が支柱に支持されるようになされ、且つ、継手の接続部の先端に上方に向けて係止片が形成されると共に、前記係止片に抜止孔が横穿され、この抜止孔に固定具を貫通してビームを水平又は傾斜して接続する際に、ビーム端部にキャップが嵌挿される場合はそのキャップの内径上部に前記係止片が当接され、ビーム端部にキャップが嵌挿されない場合はそのビーム端部の内径上部に前記係止片が当接されて、ビームの端部が係止片に支持されるようになされたことを特徴とするものであり、従って、隙間部の幅寸法が前記継手の接続部の厚さ寸法より稍々大なる寸法となされることにより、接続部の寸法誤差が僅かなので、柵体が設置された後においてほとんどグラつくことがない状態で支柱に取り付けられ、堅牢な防護柵の設置がなされる。
【００３６】
また本発明防護柵の柵体取付構造は、継手の接続部の先端に上方に向けて係止片が形成されたものであり、防護柵が傾斜地に設置された際にこの係止片に柵体の端部が係止されて、支柱に対して柵体を安定して取り付けることができる。
【００３７】
なお、上述したように本発明防護柵の柵体取付構造を適用した場合には支柱と柵体の端部との接続部分は、傾斜角度およそ４５度に対しても対応可能であり、防護柵を緩斜面のみならず通常考えうるあらゆる傾斜地へ設置が可能である。
【００３８】
そしてさらにまた本発明防護柵の柵体取付構造は、継手の接続部の係止片に抜止孔が横穿されるとともに、この抜止孔を貫通する固定具を介して柵体の端部が固定されるようになされたものであり、支柱に止着された継手の接続部と柵体端部との固定が固定具によってなされて柵体が支柱間に確実に固定される。
【００３９】
また本発明防護柵の柵体取付構造は、継手の固定部が円形支柱の側面に沿った板状体として形成された場合には、支柱に対して継手がグラつくことなく取り付けられ、また継手の接続部が円形支柱を中心とする放射状の延長線の方向に突設された場合には、柵体が相となり合う支柱間の芯−芯間に配置されて接続されるので、配置される防護柵の設置厚さ寸法がほぼ支柱の外径寸法内に収まって設置による占有スペースが必要最小限となって好ましい。
【００４０】
また、上述したように本発明防護柵の柵体取付構造を適用した、円形の支柱の側面に沿った板状体として形成された継手は、鋼製やステンレススチールの板材をプレス成形によって製作されるのが好適で、部品製造の加工工程が単純なため安価な加工コストで製作できて好都合である。
【００４１】
また本発明防護柵の柵体取付構造は、継手の固定部に止着具を介して支柱に止着するために開穿された止め孔が、支柱断面周方向に細長または断続的な複数孔として形成された場合には、継手の固定部を止着する際に継手が支柱の断面外周の側面に沿って回動可能な可動継手となされて、継手が支柱の断面外周の側面に沿って回動することによって円形支柱の中心に対して継手の接続部の突設方向が可変となり、支柱に対して柵体の取り付け時の微調節ができて設置施工に際して現場における正確な柵体の配置がなされる。
【００４２】
そしてさらに本発明防護柵の柵体取付構造は、支柱に対して上述の可動継手を含んで複数の継手が組み合わせられて止着された場合には、各接続部が成す角度が可変に調節可能となされ、それら複数の継手に接続される各々柵体の成す接続角度を防護柵の設置レイアウトに沿って自在に配置することができる。
【図面の簡単な説明】
【図１】本発明防護柵の柵体取付構造の実施形態の一例を示す正面図である。
【図２】図１に示す実施形態例の部分を表す分解斜視図である。
【図３】図１に示す実施形態例の詳細な正面図である。
【図４】図３に示す実施形態例の、（イ），（ロ）は組み立て方法を表す分解斜視図、（ハ）は図３のＡ−Ａ部の断面図、（ニ）は図３のＢ−Ｂ部の断面図である。
【図５】本発明防護柵の柵体取付構造の実施形態例の要部を示す、（イ）は上断面図、（ロ）は正面図であり、（ハ）は（ロ）に示すＡ−Ａ部の側面断面図である。
【図６】（イ）〜（ニ）は、本発明防護柵の柵体取付構造の実施形態例の、設置工程について説明する正面図である。
【図７】本発明の実施形態例について説明する上面図である。
【図８】本発明の他の実施形態の例の取付部分を示す斜視図である。
【図９】本発明のさらに他の実施形態例を示す、（イ）は取付部分を示す分解斜視図、（ロ），（ハ）はその他の実施形態例を示す部品の斜視図である。
【図１０】（イ）〜（ニ）は、本発明のさらに他の実施形態例について説明するための、上面からの略断面図である。
【符号の説明】
１    支柱
１１  止着孔
２    ビーム
２´  ビーム
２０  隙間部
２１  軸フレーム
２２  縦桟
２３  平坦部
２４  回動軸
２５  挿通孔
２６  キャップ
２７  挿通孔
３    継手
３１  固定部
３２  接続部
３３  係止片
３４  抜止孔
３５  固定具
３６  止め孔
３７  止着具
４    柵体（柵パネル）
５    可動継手
５´  可動継手
５１  細長孔
５２  断続孔
５３  連続孔
ａ    継手直
ｂ    継手直角
ｃ    可動継手ｃ
ｄ    可動継手ｄ
【図１】
0003806519.tif 000002
【図２】
0003806519.tif 000003
【図３】
0003806519.tif 000004
【図４】
0003806519.tif 000005
【図５】
0003806519.tif 000006
【図６】
0003806519.tif 000007
【図７】
0003806519.tif 000008
【図８】
0003806519.tif 000009
【図９】
0003806519.tif 000010
【図１０】
0003806519.tif 000011